(57)【要約】【課題】テレビジョン受信機の起動に要する時間を短縮することが可能な技術を提供することを目的とする。【解決手段】テレビジョン受信機１は、制御部２０１と、第２ＲＡＭ１３２とを備える。制御部２０１は、テレビジョン受信機１及びＨＤＤ１２５等の起動を制御するとともに、ＨＤＤ１２５等に異常があるか否かを判定する。第２ＲＡＭ１３２は、制御部２０１の判定結果を記憶する。制御部２０１は、テレビジョン受信機１を起動する際に、第２ＲＡＭ１３２に記憶された判定結果が異常を示す場合には、ＨＤＤ１２５等を起動せずにテレビジョン受信機１を起動する。【選択図】図１
2014212363.tif 000002
【特許請求の範囲】
【請求項１】
テレビジョン受信機であって、
記録媒体に所定データを記録するとともに、記録媒体から所定データを再生することが可能な記録再生部と、
前記テレビジョン受信機及び前記記録媒体の起動を制御するとともに、前記記録媒体に異常があるか否かを判定する制御部と、
前記制御部の判定結果を記憶する状態記憶部と
を備え、
前記制御部は、
前記テレビジョン受信機を起動する際に、前記状態記憶部に記憶された前記判定結果が異常を示す場合には、前記記録媒体を起動せずに前記テレビジョン受信機を起動する、テレビジョン受信機。
【請求項２】
請求項１に記載のテレビジョン受信機であって、
前記テレビジョン受信機にて表示可能なメニュー項目を生成するメニュー生成部
をさらに備え、
前記状態記憶部に記憶された前記判定結果に基づいて、前記記録媒体に関連する前記メニュー項目の表示を変更する、テレビジョン受信機。
【請求項３】
請求項２に記載のテレビジョン受信機であって、
前記状態記憶部に記憶された前記判定結果が異常を示す場合には、前記記録媒体に関連する前記メニュー項目をグレーアウト化または選択不能化する、テレビジョン受信機。
【請求項４】
請求項２に記載のテレビジョン受信機であって、
前記状態記憶部に記憶された前記判定結果とともに、あるいはこれに代えて、前記テレビジョン受信機を起動する際に前記制御部が実施した前記判定の結果を用いる、テレビジョン受信機。
【請求項５】
請求項１乃至請求項４のいずれかに記載のテレビジョン受信機であって、
前記テレビジョン受信機を起動する際に前記制御部が前記記録媒体に異常があると判定した場合、または、前記状態記憶部に記憶された前記判定結果が異常を示す場合に、前記記録媒体の異常通知を表示する、テレビジョン受信機。
【発明の詳細な説明】
【技術分野】
【０００１】
本発明は、テレビジョン受信機に関するものである。
【背景技術】
【０００２】
近年、ブルーレイディスクなどの記録媒体を読み書き可能な光ディスクドライブ（以下「ＯＤＤ」と記す）、及び、記録媒体の一種であるハードディスクドライブ（以下「ＨＤＤ」と記す）を内蔵したテレビジョン受信機が知られている。このような録画再生機能が内蔵されたテレビジョン受信機では、録画再生装置と別途接続しなくても、デジタル放送番組を記録媒体に記録したり、記録媒体に記録されたデジタル放送番組を再生したりすることが可能となっている。
【０００３】
このような録画再生機能が内蔵されたテレビジョン受信機においては、記録媒体が故障していても、放送番組を出力（表示及び音声出力）するテレビジョン受信機能は故障していないことがある。このような場合には、放送番組を出力するテレビ視聴機能だけでも引き続き使用可能であることが好ましい。
【０００４】
そこで、テレビジョン受信機を起動する際に、ＨＤＤにて異常を検出した場合には、上記テレビ視聴機能だけを行うテレビモードでテレビジョン受信機を起動させるとともに、ＨＤＤが使用できないことを発光ダイオード（ＬＥＤ）によって通知する技術が提案されている（例えば特許文献１）。
【先行技術文献】
【特許文献】
【０００５】
【特許文献１】特開２００３−９１９２号公報
【発明の概要】
【発明が解決しようとする課題】
【０００６】
しかしながら、上述の技術では、テレビジョン受信機を起動するたびに記録媒体を起動して異常の有無を検出し、異常が検出された場合にはウォッチドッグタイマーを用いた複数回のリトライを行う、という一連の処理が完了するまでテレビモードを実行することができない。このため、テレビモードでテレビジョン受信機を起動させたとしても、結果的にその起動完了までに長い時間を要するという問題があった。
【０００７】
そこで、本発明は、上記のような問題点を鑑みてなされたものであり、テレビジョン受信機の起動に要する時間を短縮することが可能な技術を提供することを目的とする。
【課題を解決するための手段】
【０００８】
本発明に係るテレビジョン受信機は、記録媒体に所定データを記録するとともに、記録媒体から所定データを再生することが可能な記録再生部と、前記テレビジョン受信機及び前記記録媒体の起動を制御するとともに、前記記録媒体に異常があるか否かを判定する制御部と、前記制御部の判定結果を記憶する状態記憶部とを備える。前記制御部は、前記テレビジョン受信機を起動する際に、前記状態記憶部に記憶された前記判定結果が異常を示す場合には、前記記録媒体を起動せずに前記テレビジョン受信機を起動する。
【発明の効果】
【０００９】
本発明によれば、制御部は、記録媒体に異常があるか否かを判定し、状態記憶部は、その判定結果を記憶する。そして、制御部は、テレビジョン受信機を起動する際に、状態記憶部に記憶された判定結果が異常を示す場合には、記録媒体を起動せずにテレビジョン受信機を起動する。したがって、記録媒体に異常がある場合であっても、テレビジョン受信機を使用することができる。また、記録媒体の起動を必要以上に行わなくて済むので、テレビジョン受信機の起動に要する時間を短縮することができる。
【図面の簡単な説明】
【００１０】
【図１】実施の形態１に係るテレビジョン受信機の構成を示す概略ブロック図である。
【図２】実施の形態１に係るテレビジョン受信機の動作の一例を示すフローチャートである。
【図３】テレビジョン受信機の表示例を示す図である。
【発明を実施するための形態】
【００１１】
＜実施の形態１＞
＜装置構成＞
図１は、本発明の実施の形態１に係るテレビジョン受信機の構成を示す概略ブロック図である。
【００１２】
まず、このテレビジョン受信機１の概要について説明する。このテレビジョン受信機１は、受信出力部１００と、録画再生部（記録再生部）１１９とを備えて構成されている。外部アンテナ１０１は、例えば複数のデジタル放送チャンネルを含むＲＦ（Radio Frequency）信号などの放送信号を受信する。
【００１３】
受信出力部１００は、外部アンテナ１０１で受信された放送信号が示す映像音声をリアルタイムに出力することが可能となっている。
【００１４】
録画再生部１１９は、外部アンテナ１０１で受信された放送信号に基づいてデジタルデータ（所定データ）である録画用パーシャルトランスポートストリーム１２３を生成し、それを記録媒体に録画（記録）することが可能となっている。また、録画再生部１１９は、当該記録媒体に録画された録画用パーシャルトランスポートストリーム１２３を再生（生成）することが可能となっている。このように、本実施の形態１に係るテレビジョン受信機１には、録画再生機能（録画再生部１１９）が内蔵されている。
【００１５】
次に、このテレビジョン受信機１の各構成要素について詳細に説明する。なお、以下においては、上述の記録媒体は、記録用ディスクを内蔵するＨＤＤ１２５、及び、ブルーレイディスクやＤＶＤディスクなどの光ディスク（記録用ディスク）が装填されてそれを読み書きするＯＤＤ（光ディスクドライブ）１２６であるものとして説明する。しかし、記録媒体は、これに限ったものではなく、例えば、ＨＤＤ１２５の記録用ディスクそのものであってもよいし、ＯＤＤ１２６の記録用ディスクそのものであってもよい。
【００１６】
＜受信出力部１００＞
以下、受信出力部１００の構成について詳細に説明する。受信出力部１００は、第１チューナ１０２と、第１ＴＳ（トランスポートストリーム）デコーダ１０４と、第１ＡＶ（Audio/Video）デコーダ１０６と、映像音声切替部１０８と、映像音声出力処理部１１０と、映像表示部１１２と、音声出力部１１４とを備えて構成されている。
【００１７】
第１チューナ１０２は、外部アンテナ１０１と接続されており、外部アンテナ１０１で受信した放送信号の中で、任意の周波数に対する同調処理及び復調処理を行うことにより、視聴用ＴＳ（トランスポートストリーム）１０３を生成して、第１ＴＳデコーダ１０４に出力する。
【００１８】
第１ＴＳデコーダ１０４は、視聴用ＴＳ１０３から、受信出力部１００において映像音声を出力するのに必要な情報のみを含んだ視聴用パーシャルＴＳ（トランスポートストリーム）１０５を抽出して、第１ＡＶデコーダ１０６に出力する。
【００１９】
第１ＡＶデコーダ１０６は、視聴用パーシャルＴＳ１０５をデコード（復号）して、視聴用映像音声信号１０７に変換し、当該視聴用映像音声信号１０７を映像音声切替部１０８に出力する。
【００２０】
映像音声切替部１０８は、第１ＡＶデコーダ１０６で変換された視聴用映像音声信号１０７、及び、録画再生部１１９で再生された再生用映像音声信号１２９のいずれか一方を選択映像音声信号１０９として選択し、選択映像音声信号１０９を映像音声出力処理部１１０に出力する。
【００２１】
映像音声出力処理部１１０は、選択映像音声信号１０９から映像信号１１１を抽出し、映像表示部１１２に出力する。また、映像音声出力処理部１１０は、選択映像音声信号１０９から音声信号１１３を抽出し、音声出力部１１４に出力する。
【００２２】
映像表示部１１２は、例えば液晶パネルなどから構成され、映像信号１１１に基づいて映像を表示する。音声出力部１１４は、例えばスピーカなどから構成され、音声信号１１３に基づいて音声を出力する。
【００２３】
さて、受信出力部１００は、上述の構成要素だけでなく、第１マイコン１１５と、第１ＲＯＭ（Read Only Memory）１１６と、第１ＲＡＭ（Random Access Memory）１１７と、第１マイコンバス１１８と、マイコンインターフェイス１３４と、操作指示受信部１３６とを備えて構成されている。
【００２４】
例えばリモコンや赤外線送信機等から構成される操作指示送信部１３５は、自身が受け付けた使用者の操作指示（操作命令）に対応するキーコードを送信する。操作指示受信部１３６は、操作指示送信部１３５から送信されたキーコードを受信すると、当該キーコードを、第１マイコンバス１１８を介して第１マイコン１１５に出力する。
【００２５】
第１マイコン１１５は、キーコード及び制御情報などを、マイコンインターフェイス１３４を介して録画再生部１１９（第２マイコン１３０）に送信する。また、第１マイコン１１５は、録画再生部１１９（第２マイコン１３０）からの制御情報を、マイコンインターフェイス１３４を介して受信する。さらに、第１マイコン１１５は、第１ＲＯＭ１１６に格納されたプログラムコードに従って動作し、第１ＲＡＭ１１７をワーク領域として使用する。
【００２６】
このように構成された第１マイコン１１５は、操作指示受信部１３６からのキーコード、及び、録画再生部１１９（第２マイコン１３０）からの制御情報などに基づいて、第１マイコンバス１１８を介して、第１チューナ１０２、第１ＴＳデコーダ１０４、第１ＡＶデコーダ１０６、映像音声切替部１０８及び映像音声出力処理部１１０を統括的に制御することが可能となっている。
【００２７】
＜録画再生部１１９＞
次に、録画再生部１１９の構成について詳細に説明する。録画再生部１１９は、第２チューナ１２０と、第２ＴＳ（トランスポートストリーム）デコーダ１２２と、ストリーム制御部１２４と、ＨＤＤ１２５と、ＯＤＤ１２６と、第２ＡＶデコーダ１２８とを備えて構成されている。
【００２８】
第２チューナ１２０は、外部アンテナ１０１と接続されており、外部アンテナ１０１で受信した放送信号の中で、任意の周波数に対する同調処理及び復調処理を行うことにより、録画用ＴＳ（トランスポートストリーム）１２１を生成して、第２ＴＳデコーダ１２２に出力する。
【００２９】
第２ＴＳデコーダ１２２は、録画用ＴＳ１２１から、録画再生部１１９において録画に必要な情報のみを含んだ録画用パーシャルＴＳ（トランスポートストリーム）１２３を抽出し、ストリーム制御部１２４に出力する。
【００３０】
ストリーム制御部１２４は、録画用パーシャルＴＳ１２３を、ＨＤＤ１２５及びＯＤＤ１２６にて録画する。また、ストリーム制御部１２４は、ＨＤＤ１２５及びＯＤＤ１２６にて録画された録画用パーシャルＴＳ１２３を、再生用パーシャルＴＳ（トランスポートストリーム）１２７として第２ＡＶデコーダ１２８に出力する。
【００３１】
第２ＡＶデコーダ１２８は、再生用パーシャルＴＳ１２７をデコード（復号）して、再生用映像音声信号１２９に変換し、当該再生用映像音声信号１２９を映像音声切替部１０８に出力する。
【００３２】
さて、録画再生部１１９は、上述の構成要素だけでなく、第２マイコン１３０と、第２ＲＯＭ１３１と、第２ＲＡＭ１３２と、第２マイコンバス１３３とを備えて構成されている。第２マイコン１３０は、第２ＲＯＭ１３１に格納されたプログラムコードに従って動作し、第２ＲＡＭ１３２をワーク領域として使用する。
【００３３】
このように構成された第２マイコン１３０は、第１マイコン１１５からのキーコード及び制御情報などに基づいて、第２マイコンバス１３３を介して、第２チューナ１２０、第２ＴＳデコーダ１２２、ストリーム制御部１２４及び第２ＡＶデコーダ１２８を統括的に制御することが可能となっている。
【００３４】
そして、第１マイコン１１５及び第２マイコン１３０を含む制御部２０１は、テレビジョン受信機１、並びに、ＨＤＤ１２５及びＯＤＤ１２６の起動を制御することが可能となっている。また、制御部２０１は、ＨＤＤ１２５及びＯＤＤ１２６に、例えば故障あるいは取り外されているなどの異常があるか否かを判定して、状態記憶部である第２ＲＡＭ１３２に、当該判定結果を記憶することが可能となっている。ここでは、制御部２０１は、ＨＤＤ１２５に異常があると判定した場合には、ＨＤＤ異常フラグを第２ＲＡＭ１３２にセットし、ＨＤＤ１２５に異常がないと判定した場合には、第２ＲＡＭ１３２のＨＤＤ異常フラグをリセットする。なお、制御部２０１は、ＯＤＤ１２６の異常についても、同様にＯＤＤ異常フラグを第２ＲＡＭ１３２においてセット／リセットする。
【００３５】
＜装置動作＞
次に、以上のように構成された本実施の形態１に係るテレビジョン受信機１の動作について説明する。
【００３６】
図２は、本実施の形態１に係るテレビジョン受信機１の起動処理の一例を示す概略フローチャートである。以下、図２を用いて、テレビジョン受信機１の起動処理について説明する。なお、図２に示される起動処理は、テレビジョン受信機１が電源オフ状態にあるときに、第１マイコン１１５が、キーコードの一種である電源ＯＮキーを受けるごとに行われる。
【００３７】
まず、ステップＳ１にて、第１マイコン１１５は、受信出力部１００の起動処理を開始する。ステップＳ２にて、第１マイコン１１５は、受信出力部１００の起動処理が完了したか否かを判定する。起動処理が完了したと判定した場合にはステップＳ３に進む。このステップＳ２は、起動処理が完了したと判定されるまで繰り返される。
【００３８】
ステップＳ３にて、第１マイコン１１５は、マイコンインターフェイス１３４を経由して、録画再生部１１９の起動指示（制御情報の一種）を第２マイコン１３０に出力する。
【００３９】
ステップＳ４にて、起動指示を受けた第２マイコン１３０は、ＨＤＤ１２５及びＯＤＤ１２６を除いて録画再生部１１９の起動処理を開始する。ステップＳ５にて、第２マイコン１３０は、ＨＤＤ１２５及びＯＤＤ１２６を除く録画再生部１１９の起動処理が完了したか否かを判定する。起動処理が完了したと判定した場合にはステップＳ６に進む。このステップＳ５は、起動処理が完了したと判定されるまで繰り返される。
【００４０】
ステップＳ６にて、第２マイコン１３０は、第２ＲＡＭ１３２におけるＨＤＤ異常フラグの状態を確認する。ＨＤＤ異常フラグがリセット状態、すなわち前回起動以前において「正常状態」であった場合には、ステップＳ７に進む。一方、ＨＤＤ異常フラグがセット状態、すなわち前回起動以前において「異常状態」であった場合には、ステップＳ１１に進む。
【００４１】
ステップＳ７にて、第２マイコン１３０は、ＨＤＤ１２５の起動を開始する。その後ステップＳ８にて、第２マイコン１３０は、ＨＤＤ１２５の起動処理が完了したかを判定する。起動処理が完了したと判定した場合にはステップＳ１１に進み、起動処理が完了していないと判定した場合にはステップＳ９に進む。
【００４２】
ステップＳ８からステップＳ９に進んだ場合、すなわちＨＤＤ１２５の起動処理が完了していないと判定した場合には、第２マイコン１３０は、ＨＤＤ１２５に異常が発生したかどうかを判定（確認）する。この判定は、例えば、ストリーム制御部１２４がＨＤＤ１２５に特定のコマンドを送信してから、ＨＤＤ１２５からの応答結果を第２マイコン１３０に送信し、第２マイコン１３０が当該応答結果を確認することにより行うことができる。ただし、上述の判定は、これに限ったものではなく、それ以外の判定方法を用いるように構成されてもよい。ステップＳ９にて、異常が発生したと判定した場合にはステップＳ１０に進み、そうでない場合にはステップＳ８に戻る。
【００４３】
ステップＳ１０にて、第２マイコン１３０は、第２ＲＡＭ１３２におけるＨＤＤ異常フラグをセットして、ステップＳ１１に進む。
【００４４】
ステップＳ１１以降は、ＯＤＤ１２６についても上述と同様の処理を行う。具体的には、ステップＳ１１にて、第２マイコン１３０は、第２ＲＡＭ１３２におけるＯＤＤ異常フラグの状態を確認する。ＯＤＤ異常フラグがリセット状態、すなわち前回起動以前において「正常状態」であった場合には、ステップＳ１２に進む。一方、ＯＤＤ異常フラグがセット状態、すなわち前回起動以前において「異常状態」であった場合には、図２に示される起動処理を終了する。
【００４５】
ステップＳ１２にて、第２マイコン１３０は、ＯＤＤ１２６の起動を開始する。その後ステップＳ１３にて、第２マイコン１３０は、ＯＤＤ１２６の起動処理が完了したかを判定する。起動処理が完了したと判定した場合には図２に示される起動処理を終了し、起動処理が完了していないと判定した場合にはステップＳ１４に進む。
【００４６】
ステップＳ１３からステップＳ１４に進んだ場合、すなわちＯＤＤ１２６の起動処理が完了していないと判定した場合には、第２マイコン１３０は、ＯＤＤ１２６に異常が発生したかどうかを判定（確認）する。この判定は、例えば、ストリーム制御部１２４がＯＤＤ１２６に特定のコマンドを送信してから、ＯＤＤ１２６からの応答結果を第２マイコン１３０に送信し、第２マイコン１３０が当該応答結果を確認することにより行うことができる。ただし、上述の判定は、これに限ったものではなく、それ以外の判定方法を用いるように構成されてもよい。異常が発生したと判定した場合にはステップＳ１５に進み、そうでない場合にはステップＳ１３に戻る。
【００４７】
ステップＳ１５にて、第２マイコン１３０は、第２ＲＡＭ１３２におけるＯＤＤ異常フラグをセットして、図２に示される起動処理を終了する。
【００４８】
このように、テレビジョン受信機１の起動処理の際に、ＨＤＤ１２５及びＯＤＤ１２６（以下「ＨＤＤ１２５等」と記すこともある）の異常を検出した場合、ＨＤＤ異常フラグまたはＯＤＤ異常フラグ（以下「ＨＤＤ異常フラグ等」と記すこともある）はセット状態になり、フラッシュメモリなどの不揮発性のメモリで構成される第２ＲＡＭ１３２などに記憶される。そして、テレビジョン受信機１の次回の起動処理にて、ＨＤＤ異常フラグ等の状態を参照し、セット状態である場合にはＨＤＤ１２５等の起動を省略する。つまり、本実施の形態１に係るテレビジョン受信機１によれば、ＨＤＤ１２５等の起動（ひいてはＨＤＤ１２５等の異常の判定）を必要以上に行わなくて済むので、テレビジョン受信機１の起動に要する時間を短縮することができる。
【００４９】
なお、テレビジョン受信機１を起動する際に第２マイコン１３０が、ＨＤＤ１２５等に異常があると判定した場合には、第２マイコン１３０から第１マイコン１１５にその判定結果を出力しておくことが望ましい。つまり、第１及び第２マイコン１１５，１３０で当該判定結果を共有しておくことが望ましい。
【００５０】
このような構成によれば、ＨＤＤ異常フラグ等がセットされた場合（第２ＲＡＭ１３２に記憶された判定結果が異常を示す場合）だけでなく、第２マイコン１３０（制御部２０１）がＨＤＤ１２５等に異常があると判定した場合にも、ＨＤＤ１２５等の異常通知を表示することが可能となる。つまり、テレビジョン受信機１の前回起動以前において、ＨＤＤ１２５等に異常が判定された場合だけでなく、今回起動時において、ＨＤＤ１２５等に異常が判定された場合にも、例えばＨＤＤ１２５等が異常状態であるため使用できない旨などの画面上のメッセージなどを表示することが可能となる。したがって、ユーザは、異常の発生が原因でＨＤＤ１２５等が起動しないことをすぐに知ることができる。
【００５１】
なお、この異常通知の際には、次に説明するように、ＨＤＤ１２５及びＯＤＤ１２６のいずれに故障などの異常が発生しているかを示す情報、あるいはそれらのいずれにも故障などの異常が発生していることを示す情報も表示することが好ましい。
【００５２】
図３は、本実施の形態１に係るテレビジョン受信機１の映像表示部１１２における表示例を示す図である。図において、複数のメニュー項目３０３〜３０７を含むメニュー表示３０１と、リモコン等の操作指示送信部１３５に用意された上下キーや決定キーなどを使用してメニュー項目３０３〜３０７から一つを選択するためのユーザーカーソル３０２（図３に示される例では太枠）とが示されている。
【００５３】
複数のメニュー項目３０３〜３０７は、受信するデジタル放送チャンネルを切り替えるためのチャンネル選局メニュー３０３と、受信しているデジタル放送チャンネルをＨＤＤ１２５に記録するためのＨＤＤ録画メニュー３０４と、既にＨＤＤ１２５に記録済みの放送番組から一つを選択して再生するためのＨＤＤ再生メニュー３０５と、ＯＤＤ１２６に装填された光ディスクに記録済みの放送番組または映画タイトルなどを再生するためのＯＤＤ再生メニュー３０６と、ＨＤＤ１２５及びＯＤＤ１２６の間で番組データ等をコピーするためのダビングメニュー３０７とを含んでいる。なお、メニュー表示３０１のメニュー項目は、図３に示されるメニュー項目３０３〜３０７に限ったものではない。
【００５４】
なお、本実施の形態１では、第１マイコン１１５（メニュー生成部）が、テレビジョン受信機１にて表示可能な上述のメニュー表示３０１を生成する。ここでは、その一例として、第１マイコン１１５が、第１ＡＶデコーダ１０６に内蔵されたＯＳＤ（On Screen Display）回路を使用することによりメニュー表示３０１の画像情報を生成／描画し、当該メニュー表示３０１の画像情報を視聴用映像音声信号１０７に重畳するものとする。
【００５５】
さて、図３（ａ）には、テレビジョン受信機１の起動処理においてＨＤＤ１２５及びＯＤＤ１２６の両方が正常、すなわちＨＤＤ異常フラグ及びＯＤＤ異常フラグがいずれもリセット状態にある場合の画面表示３１０の一例が示されている。この画面表示３１０においては、メニュー表示３０１のメニュー項目３０３〜３０７はいずれも通常通り表示されている。
【００５６】
図３（ｂ）には、テレビジョン受信機１の起動処理においてＨＤＤ１２５が異常でＯＤＤ１２６が正常、すなわちＨＤＤ異常フラグがセット状態、ＯＤＤ異常フラグがリセット状態にある場合の画面表示３１１の一例が示されている。この画面表示３１１においては、メニュー表示３０１のメニュー項目３０３〜３０７のうち、ＨＤＤ１２５に関連するメニュー項目であるＨＤＤ録画メニュー３０４及びＨＤＤ再生メニュー３０５、並びに、ＨＤＤ１２５及びＯＤＤ１２６の両方が正常でないと利用できないダビングメニュー３０７がグレーアウト化されている。すなわち、それらの枠内がグレー（図中、細かい点のハッチング）で表示される。
【００５７】
図３（ｃ）には、テレビジョン受信機１の起動処理においてＨＤＤ１２５が正常でＯＤＤ１２６が異常、すなわちＨＤＤ異常フラグがリセット状態、ＯＤＤ異常フラグがセット状態にある場合の画面表示３１２の一例が示されている。この画面表示３１２においては、メニュー表示３０１のメニュー項目３０３〜３０７のうち、ＯＤＤ１２６に関連するメニュー項目であるＯＤＤ再生メニュー３０６、並びに、ＨＤＤ１２５及びＯＤＤ１２６の両方が正常でないと利用できないダビングメニュー３０７がグレーアウト化されている。
【００５８】
図３（ｄ）には、テレビジョン受信機１の起動処理においてＨＤＤ１２５及びＯＤＤ１２６の両方が異常、すなわちＨＤＤ異常フラグ及びＯＤＤ異常フラグがいずれもセット状態にある場合の画面表示３１３の一例が示されている。この画面表示３１３においては、メニュー表示３０１のメニュー項目３０３〜３０７のうち、受信出力部１００だけで利用可能なチャンネル選局メニュー３０３以外は全てグレーアウト化されている。
【００５９】
以上のように、本実施の形態１に係るテレビジョン受信機１は、第２ＲＡＭ１３２に記憶されたＨＤＤ異常フラグ等（判定結果）に基づいて、ＨＤＤ１２５等に関連するメニュー項目３０３〜３０７の表示を変更する。具体的には、テレビジョン受信機１は、第２ＲＡＭ１３２に記憶されたＨＤＤ異常フラグ等がセットされている（判定結果が異常を示す）場合には、ＨＤＤ１２５等に関連するメニュー項目３０３〜３０７をグレーアウト化する。
【００６０】
なお、制御部２０１により異常と判定された利用不可能なメニュー項目をグレーアウト化する構成について、以上では説明した。しかし、これに限ったものでなく、例えば、当該メニュー項目にユーザーカーソル３０２が移動できないようにしたり、当該メニュー項目がメニュー表示３０１に表示されないようにしたりすることなどによって、当該メニュー項目を選択不能化する構成であってもよい。
【００６１】
＜効果＞
以上のように構成された本実施の形態１に係るテレビジョン受信機１では、制御部２０１（第１及び第２マイコン１１５，１３０）は、ＨＤＤ１２５等における異常の有無を判定し、その判定結果を示すＨＤＤ異常フラグ等を第２ＲＡＭ１３２に記憶する。そして、制御部２０１（第１及び第２マイコン１１５，１３０）は、テレビジョン受信機１を起動する際に、第２ＲＡＭ１３２に記憶されたＨＤＤ異常フラグ等がセット状態すなわち「異常状態」である場合には、ＨＤＤ１２５等を起動せずにテレビジョン受信機１を起動し、第２ＲＡＭ１３２に記憶されたＨＤＤ異常フラグ等がリセット状態すなわち「正常状態」である場合には、ＨＤＤ１２５等及びテレビジョン受信機１を起動する。したがって、ＨＤＤ１２５等に異常がある場合であっても、テレビジョン受信機１においてテレビ視聴機能の使用を維持することができる。また、ＨＤＤ１２５等の起動（ひいてはＨＤＤ１２５等の異常の判定）を必要以上に行わなくて済むので、テレビジョン受信機１の起動に要する時間を短縮することができる。よって、使い勝手のよいテレビジョン受信機を実現することができる。また、これに伴い、テレビジョン受信機１の電力消費の低減化も期待できる。さらに、ＨＤＤ１２５やＯＤＤ１２６に異常が発生する場合は、内部の物理的な故障である可能性が高いが、上述の構成によれば、故障した部品に対して繰り返し通電することを回避できるため、当該通電によるさらなる不具合を回避することができる。
【００６２】
また、本実施の形態１に係るテレビジョン受信機１は、第２ＲＡＭ１３２に記憶されたＨＤＤ異常フラグ等の状態（判定結果）に基づいて、ＨＤＤ１２５等（記録媒体）に関連するメニュー項目をグレーアウト化または選択不能化する。したがって、使用者はメニュー項目のうち、どの操作が可能で、どの操作が不可能であるかを直感的に把握することができる。よって、使い勝手のよいテレビジョン受信機を実現することができる。
【００６３】
＜変形例＞
実施の形態１において、ＨＤＤ異常フラグ等の状態を、図３に示したメニュー表示３０１だけに反映させるのではなく、それ以外の表示や操作に反映させるように構成してもよい。例えば、ＨＤＤ異常フラグ等がセットされている場合には、録画先やダビング先からＨＤＤ１２５等を選択できないように構成してもよい。また、ＨＤＤ異常フラグ等がセットされている場合に、ＨＤＤ１２５等に関する操作指示を操作指示送信部１３５から受信した場合には、ＨＤＤ１２５等が異常状態にあるため、当該機能が使用できない旨をテレビ画面上にメッセージ表示するように構成してもよい。
【００６４】
また、実施の形態１では、記録媒体に、ＨＤＤ１２５、及び、光ディスクが装填されたＯＤＤ１２６を適用した構成について説明した。しかし、記録媒体の種類、機器及び数は、これに限ったものでない。また、実施の形態１では、状態記憶部に、第２ＲＡＭ１３２を適用した構成について説明したが、状態記憶部はこれに限ったものではない。例えば、状態記憶部を第２ＲＯＭ１３１とすれば、テレビジョン受信機１または録画再生部１１９の電源断時においても、ＨＤＤ異常フラグ等の情報を保持することが可能となる。あるいは、状態記憶部を第１ＲＯＭ１１６もしくは第１ＲＡＭ１１７とすれば、図２のステップＳ２において、ＨＤＤ１２５やＯＤＤ１２６の異常有無を認識することが可能となる。このため、例えば、ＨＤＤ１２５やＯＤＤ１２６の両方が異常であると認識した場合には、録画再生部１１９の起動処理を停止する等を行うことによって、さらなる省電力が実現可能となるとともに、通電による不具合を回避することが可能となる。
【００６５】
また、実施の形態１では、ＨＤＤ１２５等が異常であると１回判定した場合に、ＨＤＤ異常フラグ等をセットする構成について説明した。しかしこれに限ったものではなく、例えば、ＨＤＤ１２５等が異常であると判定した回数をカウントし、そのカウントが予め定められた回数に達した時点でＨＤＤ異常フラグ等をセットする構成であってもよい。また、ＨＤＤ１２５等の修理交換時などに、ＨＤＤ異常フラグ等をクリア（リセット）する機能を有するように構成してもよい。
【００６６】
また、実施の形態１では、第２ＲＡＭ１３２に記憶されたＨＤＤ異常フラグ等の状態、すなわち、テレビジョン受信機１の前回起動以前の第２マイコン１３０の判定結果に基づいて、ＨＤＤ１２５等に関連するメニュー項目をグレーアウト化または選択不能化する構成について説明した。しかしこれに限ったものではなく、テレビジョン受信機１を起動する際に第２マイコン１３０（制御部２０１）が実施した判定の結果、つまりテレビジョン受信機１の今回起動時の第２マイコン１３０の判定結果に基づいて、ＨＤＤ１２５等に関連するメニュー項目の表示を変更する構成であってもよい。このような構成であっても、上述と同様の効果を得ることができる。
【００６７】
また、実施の形態１では、デジタル放送を受信するテレビジョン受信機１を例にして説明したが、放送だけでなく、例えばインターネット経由や他の機器から映像音声データなどのデジタル信号を受信する機器（実質的にテレビジョン受信機）にも適用されてもよい。
【００６８】
また、実施の形態１では、使用者がリモコン等の操作指示送信部１３５を使用してテレビジョン受信機１に操作指示を送信する構成について説明したが、これに限ったものではなく、テレビジョン受信機に備え付けられた入力部（例えばボタンなど）を用いて操作指示する構成であってもよい。
【００６９】
なお、本発明は、その発明の範囲内において、実施の形態を適宜、変形、省略することが可能である。
【符号の説明】
【００７０】
１  テレビジョン受信機、１１５  第１マイコン、１１９  録画再生部、１２５  ＨＤＤ、１２６  ＯＤＤ、１３０  第２マイコン、１３２  第２ＲＡＭ、２０１  制御部。
【図１】
2014212363.tif 000003
【図２】
2014212363.tif 000004
【図３】
2014212363.tif 000005